(57)【特許請求の範囲】
【請求項１】
遊技機の制御をなす制御素子等を搭載の制御基板を格納する遊技機の制御箱であって、
前記制御箱を表カバー体と裏カバー体で構成し、
硬質合成樹脂製の表カバー体の表面に、両端に係止爪を形成の硬質合成樹脂製である板状の係止体（２０）を有する軟質合成樹脂製の止着部材（Ｂ）を設け、  前記係止体（２０）に形成の表カバー体に近い側の係止爪（２０ａ）が係止不能な表カバー大孔を表カバー体に設けると共に前記係止体に形成の表カバー体に遠い側の係止爪（２０ｂ）に係止可能な裏カバー第１係止孔を裏カバー体に形成し、
且つ、表カバー係止孔を表カバー体の側面に、裏カバー第２係止孔を裏カバー体の側面に各々形成し、表カバー係止孔と裏カバー第２係止孔には、前記止着部材（Ｂ）の切断部を切断し、表カバー体から分離した係止体（２０）の両端部に形成の係止爪（２０ａ、２０ｂ）をそれぞれ係止可能とすることを特徴とする遊技機の制御箱。
【請求項２】
硬質合成樹脂製の表カバー体と軟質合成樹脂製の止着部材（Ｂ）と硬質合成樹脂製の係止体を一体成形で成形することを特徴とする請求項１の遊技機の制御箱。
【発明の詳細な説明】
【０００１】
【発明の属する技術分野】
本発明は、遊技機（パチンコ機等）の遊技内容を制御する制御基板を格納する制御箱であって、不正行為を阻止する制御箱に関する。
【０００２】
【従来の技術】
遊技機（パチンコ機等）には、遊技内容を制御する制御基板を配設の制御箱が着脱自在に取り付けてあり、遊技者に興趣を与えるために、遊技内容の変更を容易としている。
前記制御基板には、ＣＰＵ、ＲＯＭ等の制御素子が配置してあり、とりわけ制御ソフトが記録してあるＲＯＭが重要な役割を果たす。そこで、かかるＲＯＭを取り替えて、不正に異なるゲームとすることを禁止するために、制御箱には封印紙が貼着してあって、容易に不正ができないようになっている。
【０００３】
【発明が解決しようとする課題】
しかしながら、特殊な液体を使用して、封印紙を傷つけることなく、且つ封印紙が貼ってあった痕跡を残すことなく剥し、不正なＲＯＭと交換した後に、同じ封印紙を貼る不正改造を行う行為が行われている。
従って、かかる不正行為を容易に行えない対策が望まれ、本発明はかかる課題を解消する制御箱を提供するものである。
【０００４】
【課題を解決するための手段】
請求項１の遊技機の制御箱は、遊技機の制御をなす制御素子等を搭載の制御基板を格納するものであり、この制御箱は表カバー体と裏カバー体で構成してある。そして、硬質合成樹脂製の表カバー体の表面には、両端に係止爪を形成の硬質合成樹脂製である板状の係止体（２０）を有する軟質合成樹脂製の止着部材（Ｂ）が設けてあり、この係止体（２０）には表カバー体に近い側の係止爪（２０ａ）が係止不能な表カバー大孔（２１ａ）を表カバー体に設けてあると共に、係止体に形成の表カバー体に遠い側の係止爪（２０ｂ）に係止可能な裏カバー第１係止孔（２１ｂ）が裏カバー体に形成してある。
また、表カバー係止孔（２２ａ）は表カバー体の側面に、裏カバー第２係止孔（２２ｂ）は裏カバー体の側面に各々形成してあり、表カバー係止孔（２２ａ）と裏カバー第２係止孔（２２ｂ）には、止着部材（Ｂ）の切断部を切断し、表カバー体から分離した係止体（２０）の両端部に形成の係止爪（２０ａ、２０ｂ）をそれぞれ係止可能にしてある。
この止着部材（Ｂ）は軟質合成樹脂製であるため、曲折して裏カバー体に形成の裏カバー第１係止孔（２１ｂ）に挿入することによって、表カバー体と裏カバー体は閉鎖固定できる。また、点検等の際に切断される止着部材（Ｂ）が軟質合成樹脂であるため怪我を受けないし、表カバー体から分離した係止体（２０）は別途形成の表カバー係止孔と裏カバー第２係止孔に装着して、表カバー体と裏カバー体を閉鎖固定でき、再利用を図ることができる。
【０００５】
請求項２の遊技機の制御箱は、硬質合成樹脂製の表カバー体と軟質合成樹脂製の止着部材（Ｂ）と硬質合成樹脂製の係止体を一体成形で成形することにより簡便に製作できる。
【０００６】
【発明の実施の形態】
遊技機としてパチンコ機を例にとって説明すると、パチンコ機は遊技球が特定箇所に入賞すると、図柄表示器を介して遊技者にとって有利な大当たり等を生起して多量の景品球を払い出す。このような、遊技内容を制御するために、パチンコ機の裏面には制御箱１内に、「ＲＯＭ等の制御素子」を搭載の制御基板（図示略）をビス等で固定して格納してある。
【０００７】
図１はよく知られたパチンコ機の裏面図であり、裏面中央には遊技盤の表側に配設の入賞口等に入賞した遊技球を集めて、入賞球処理装置６２に１球毎分離処理させる入賞球集合樋６１が設けてある。この入賞球集合樋６１の左下方には、入賞球や賞品球等のゲーム処理を行う制御素子を搭載の制御基板を内蔵の制御箱１が配設してあると共に、右下方には、球貸機７０からの信号に基づく貸球等の処理信号をパチンコ機と送受信するインターフェイス基板８０が設置してある。
【０００８】
又、パチンコ機の上部には、排出前の遊技球を貯留しておく貯留タンク６３が設けてあり、その貯留タンク６３から遊技球を二列に整列させて遊技球排出装置６５まで誘導する整列樋６４が設置してある。この整列樋６４には、遊技球の重なりを防止する球ならし６６が揺動自在に垂設してある。又、前記遊技球排出装置６５から排出の遊技球は流下樋６７を経て上皿に流出する。又、パチンコ機の上部右側にはターミナル基板６９が取り付けてあり、左下部には遊技球発射装置９１が設けてあって一球毎発射可能としている。
【０００９】
図２は制御箱１の部品分解図であって、この制御箱１は箱状の表カバー体１０と裏カバー体１１、制御素子を取付の制御基板１２とその制御基板を固定するシャーシ１３とで構成する。
また、止着部材Ａ、Ｂについては、拡大図を示す図３（Ａ）、止着部材Ｂの斜視図を示す図３（Ｂ）、表カバー体１０に裏カバー体１１を装着した図３（Ａ）のＡ〜Ａ断面を示す図４（Ａ）、Ｂ〜Ｂ断面を示す図４（Ｂ）を参照して説明する。
【００１０】
表カバー体１０は硬質合成樹脂等で裏カバー体１１に装着可能に製作され、表カバー体１０の内側には凹部４０ａが、一方、裏カバー体１１には前記凹部４０ａに対応する位置に突部４０ｂが形成してあって位置決めをなす。
又、表カバー体１０の両側面１０ａには、容易に曲折可能な止着部材Ａ、Ｂが設けてあり、止着部材Ａは、端部にネジ孔１８ａを形成の板状であり、止着部材Ｂは係止爪２０ａ、２０ｂを有する係止体２０と共に板状に形成する。
【００１１】
そして、前記止着部材Ａ、Ｂの製作方法は、硬質合成樹脂と軟質合成樹脂を使用して金型で一体成形するものであり、硬質樹脂としてＰＣ、ＡＢＳ、ポリカーボネート等を使用し、軟質合成樹脂としてエラストマー等を使用する。
表カバー体１０、止着部材Ａ（右端部がやや厚めで、ネジ孔１８ａを形成の板状）及び係止体２０を結合の止着部材Ｂ（右端部がやや薄めの板状）に、一体成形可能な金型を介して、前記表カバー体１０と係止体２０の部分には硬質合成樹脂を溶融状態で流し込む一方、前記以外の止着部材Ａ、Ｂの部分（図４（Ａ）（Ｂ）の止着部材Ａ、Ｂの斜線部）には軟質合成樹脂（熱可塑性エラストマー）を２３０℃程度の温度の溶融液を流し込んで成形する。尚、前記止着部材Ａ、Ｂと表カバー体１０との接合は強度保持のためＴ字型に形成する。
【００１２】
以上、硬質合成樹脂と軟質合成樹脂によって、止着部材Ａは、表カバー体１０にＴ字状の軟質合成樹脂（例えば、軟質ゴム等）で板状に一体形成されて、曲折可能となる。
一方、止着部材Ｂも同様に、硬質合成樹脂製の係止体２０と共に、表カバー体１０とはＴ字状に軟質合成樹脂（例えば、軟質ゴム等）で板状に一体成形され、曲折可能となる。
このように、止着部材Ａ、Ｂは、表カバー体１０と共に、一体で樹脂成形されるため簡便に製作でき、且つ、切断範囲Ｌが軟質合成樹脂（軟質ゴム等）であるため、曲折可能で、且つ、切断が容易であると共に、その切断部が柔らかく、遊技場の係員が触れても怪我をすることがない。
尚、前記において、止着部材Ａ、Ｂは表カバー体１０と一体に樹脂成形で製作する方法であるが、例えば、軟質ゴム等でＴ字状に作成の止着部材Ａ、Ｂを、接着剤で表カバー体１０の内側に、貼着形成してもよいことはいうまでもない。
【００１３】
また、前記係止爪２０ａ、２０ｂは図３（Ｂ）に示すように、係止爪２０ａは上方向に、係止爪２０ｂは下方向に形成してあるが、それらを反対方向に形成してもよい。
又、裏カバー１１の側面１１ａには、前記係止爪２０ｂに対しては係止可能な大きさの裏カバー第１係止孔２１ｂが形成してある。一方、係止爪２０ａに対しては、表カバー体１０の側面１０ａに、装着しても係止しない表カバー大孔２１ａが形成してある。
更に、表カバー体１０と裏カバー体１１の側面１０ａ、１１ａには、後記で詳述する、前記係止爪２０ａ、２０ｂに係止可能な表カバー係止孔２２ａ、裏カバー第２係止孔２２ｂが各々穿設してあると共に、止着部材Ｂの両縁のガイド堤２３ａ、２３ｂが形成してある。
【００１４】
次に、前記構成の止着部材Ａ、Ｂによって表カバー体１０と裏カバー体１１を閉鎖する方法について、斜視図を示す図５（Ａ）、断面を示す図５（Ｂ）を参照して説明する。
先ず、制御素子を取付の制御基板１２をシャーシ１３にビス等で固定し、そのシャーシ１３を裏カバー体１１にビス（図示略）等で固定する。そして、表カバー体１０を裏カバー体１１に装着し、止着部材Ａを折り曲げて、ネジ孔１８ａとネジ孔１８ｂを合わせて、そのネジ孔１８ａ、１８ｂに破断ネジ１６を取り付ける。この破断ネジ１６は所定トルク以上かかると頭部が切断されるため、止着部材Ａは頭部が欠落した状態で固定されるため、破断ネジ１６自体を引き抜くことは不可能となる。従って、表カバー体１０と裏カバー体１１を開くためには、止着部材Ａを切断する必要がある。
【００１５】
一方、止着部材Ｂを折り曲げて、係止爪２０ｂを裏カバー第１係止孔２１ｂに装着すると、係止爪２０ｂは裏カバー第１係止孔２１ｂに係止状態となるが、係止爪２０ａは表カバー大孔２１ａとは係止状態とならない。しかしながら、下に位置する係止爪２０ｂ（止着部材Ｂの係止爪であって、表カバー体１０の結合箇所より遠い方）が、裏カバー第１係止孔２１ｂで係止状態となるため、表カバー体１０と裏カバー体１１は閉鎖固定される。
【００１６】
以上のように、制御箱１は表カバー体１０と裏カバー体１１を止着部材Ａ、Ｂによって閉鎖固定されるため、制御箱１を開くには、特に、止着部材Ａを切断しない限り困難であり、開けたときにはその痕跡が残って不正行為が判る。
【００１７】
次に、前記制御箱１内「ＲＯＭ等の制御素子」を点検するために制御箱を開く操作と再度組み立てる操作について図６を参照して説明する。尚、図６（Ａ）は制御箱を再度組み立てた状態図、（Ｂ）（Ｃ）は止着部材Ｂの装着過程を示す断面図である。
先ず、止着部材Ａ、Ｂの切断範囲Ｌで、ハサミ等で切断すると軟質材のために容易に切断でき、表カバー体１０と裏カバー体１１は分離可能となる。そこで、制御素子（図示略）を取り出して、点検をした後に再度取り付ける。尚、前記止着部材Ａ、Ｂの切断箇所は、軟質合成樹脂（軟質ゴム等）であるため、切断箇所Ｘで怪我をすることがない。
そして、再度、組み立てるときには、表カバー体１０と裏カバー体１１を突き合わせて装着するが、止着部材Ａは切断されて、端部Ａ１は表カバー体１０に、他端部Ａ２は裏カバー体１１に破断ネジ１６で固定した状態のままとなる。
従って、この止着部材Ａは表カバー体１０と裏カバー体１１を閉鎖固定に寄与しない（図６（Ａ）参照）。
【００１８】
一方、止着部材Ｂは切断されて、残部Ｂ１は表カバー体１０に残る一方、切断止着部材Ｂ’の係止爪２０ａは表カバー大孔２１ａと係止状態でないため、係止爪２０ｂを動かすことによって、容易にその切断止着部材Ｂ’を裏カバー第１係止孔２１ｂから抜くことができる。
そして、その切断止着部材Ｂ’に形成の係止爪２０ａ、２０ｂを表カバー係止孔２２ａ、裏カバー第２係止孔２２ｂに装着すると、係止爪２０ａ、２０ｂは各々の前記係止孔２２ａ、２２ｂに係止状態となる（図６（Ｂ）（Ｃ）参照）。
これらの係止爪２０ａ、２０ｂは互いに異なる向きに形成してあるため、切断止着部材Ｂ’を抜くためには、前後（上下）に動かすことを要するが、かかる動作をしても係止爪２０ａ、２０ｂの向きによって抜くことは困難である。従って、表カバー体１０と裏カバー体１１は切断止着部材Ｂ’によって閉鎖固定され、この切断止着部材Ｂ’を切断しない限り開くことは困難であり、切断止着部材Ｂ’の再利用を図ることができる。
【００１９】
次に、図７（Ａ）（Ｂ）は、止着部材Ｂの変更例であり、硬質合成樹脂の係止体２０Ａは、一対の係止爪２０ａ、２０ｂと、それらの係止爪２０ａ、２０ｂの間に形成の係止爪２５ａ、２５ｂで構成し、係止爪２０ａ、２０ｂの向きは図４（Ｂ）と同じであるが、係止爪２５ａは係止爪２０ａに対して、係止爪２５ｂは係止爪２０ｂに対して逆向きに形成する。
この止着部材Ｂ１は、前記止着部材Ｂの製作と同様に、表カバー体１０と係止体２０Ａを硬質合成樹脂で、その他の部分（切断範囲Ｌを含む）を軟質合成樹脂（軟質ゴム等）に、一体成形で作成する。
そのため、止着部材Ｂ１は容易に曲げることができるし、切断範囲Ｌで容易に切断できると共に、その切断箇所が柔らかいので、手を触れても怪我をすることはない。
【００２０】
又、前記止着部材Ｂ１を折り曲げて、表カバー体１０と裏カバー体１１を閉鎖固定する場合について説明すると、表カバー係止孔２１Ａは係止爪２０ａ、２５ａが挿入可能であっても係止できない程度の大きさの孔であるが、裏カバー第１係止孔２１Ｂは係止爪２０ｂ、２５ｂに係止すると、前記係止爪２０ｂ、２５ｂによって上下動ができず、前記図４（Ｂ）に示す係止爪２０ｂに比べて引き抜くことが困難となる。
【００２１】
尚、前記の止着部材Ａ、Ｂは、何れも図３に示すように表カバー体１０側に連結したものであるが、裏カバー体１１側に連結する形式であってもよいことはいうまでもない。
【００２２】
図８（Ａ）は止着部材Ａの変更例であり、この止着部材Ａ１は端部を表カバー体に連結しない独立の片体であり、少なくとも切断範囲Ｌを軟質合成樹脂（軟質ゴム等）で形成する。
この止着部材Ａ１は、ネジ孔１８ａを形成の片本体３８Ａと、ネジ孔３０を形成の片本体３８Ｂの接合部が重なる板状に形成可能な金型を介して、片本体３８Ａ（斜線部）には硬質合成樹脂、片本体３８Ｂには軟質合成樹脂となるように板状に一体成形で作成する。
尚、前記ネジ孔３０に対応する位置の表カバー体１０には、ネジ孔（図示略）を明けておく。
そして、止着部材Ａ１は、表カバー体１０と裏カバー体１１に当てて、ネジ孔１８ａとネジ孔３０の双方に破断ネジ１６を介して固定する。このように固定することによって、表カバー体１０と裏カバー体１１は閉鎖固定され、止着部材Ａ１を切断しない限り開くことができない。
また、切断するときには、切断範囲Ｌが軟質合成樹脂であるため、容易に切断可能であると共に、切断箇所で怪我をすることはない。
このように、止着部材Ａ１を構成することもでき、必ずしも、図４（Ａ）に示すように端部を表カバー体１０に固着して構成する必要はない。
【００２３】
図８（Ｂ）（Ｃ）は、止着部材Ｂの変更例の止着部材Ｂ２、Ｂ３であり、何れも端部を表カバー体１０に固着しなくて独立した片体で構成し、少なくとも切断範囲Ｌを軟質合成樹脂で形成するものである。
図８（Ｂ）は止着部材Ｂ２であり、係止爪２０ａ、２０ｂを形成の片本体２０Ｂとネジ孔３５を形成の片本体２０Ｃ（斜線部）を接合部が重なり可能な金型を介して、片本体２０Ｂには硬質合成樹脂、片本体２０Ｃには軟質合成樹脂となるように一体成形で作成する。尚、前記ネジ３５に対応して、表カバー体１０には、孔を穿設する。
この止着部材Ｂ２は、前記係止爪２０ａ、２０ｂと、ネジ孔３５にねじ込む破断ネジを介して、表カバー体１０と裏カバー体１１を閉鎖固定する。
そして、表カバー体１０を開くときには、止着部材Ｂ２の切断範囲Ｌが軟質合成樹脂（軟質ゴム等）であるため、容易に切断できると共に、切断箇所で怪我をすることはない。
【００２４】
図８（Ｃ）の止着部材Ｂ３は係止爪３６を新たに形成するものであり、係止爪２０ａ、２０ｂを形成の片本体２０Ｄと、係止爪３６とネジ孔３５を形成の片本体２０Ｅを形成可能な金型を介して、片本体２０Ｄと片本体２０Ｅが硬質合成樹脂で、且つ、前記片本体２０Ｄと片本体２０Ｅを相互に重なる姿態で連結可能な切断範囲Ｌ（斜線部）が軟質合成樹脂（エラストマー等）となるように一体成形する。
表カバー体１０と裏カバー体１１は、前記止着部材Ｂ３の前記係止爪２０ａ、２０ｂ、３６及びネジ孔３５にねじ込む破断ネジで固定される。そして、表カバー体１０を開けるときには、前記止着部材Ｂ３の切断範囲Ｌで切断する。
この切断範囲Ｌは軟質合成樹脂（軟質ゴム等）であるため、切断箇所で傷を受けることはない。
【００２５】
以上のように、止着部材Ａ、Ｂは硬質合成樹脂と軟質合成樹脂を介して容易に一体成形でき、その形態は、図３に示すように、必ずしも、表カバー体１０に連結して曲折可能とする必要はなく、図８に示すように独立片で構成してもよく、何れも簡便に製作できる。又、止着部材Ａ、Ｂの曲折箇所（切断範囲）は、軟質合成樹脂であるため、容易に曲げて表カバー体と裏カバー体を閉鎖固定できると共に、表カバー体を開けるとき、止着部材Ａ、Ｂの切断を要するが、少なくともその切断範囲が軟質合成樹脂（軟質ゴム等）であるめ、容易に切断できると共に、その切断箇所で遊技店の係員が切断箇所に触れても傷を受けることがなく安全である。
【００２６】
【発明の効果】
本発明の請求項１の制御箱は、止着部材（Ｂ）が軟質合成樹脂製であるため、点検等の際に、切断する止着部材Ｂで怪我を受けないし、表カバー体から分離した係止体（２０）は別途形成の表カバー係止孔と裏カバー第２係止孔に装着して、表カバー体と裏カバー体を閉鎖固定でき、再利用を図ることができる。
又、請求項２の制御箱は、硬質合成樹脂製の表カバー体と軟質合成樹脂製の止着部材（Ｂ）と硬質合成樹脂製の係止体を一体成形で成形することにより簡便に製作できる。
【図面の簡単な説明】
【図１】遊技機（パチンコ機）の裏面図である。
【図２】制御箱の構成部品の斜視図である。
【図３】制御箱の拡大図（Ａ）と止着部材Ｂの斜視図（Ｂ）である。
【図４】止着部材Ａ、Ｂと制御箱の断面図である。
【図５】止着部材Ｂを制御箱に取り付ける斜視図（Ａ）と、止着部材Ｂを装着した断面図（Ｂ）である。
【図６】点検後の止着部材Ａと切断止着部材Ｂ’を装着した状態図（Ａ）と切断止着部材Ｂ’を取り付ける断面図（Ｂ）（Ｃ）である。
【図７】他の止着部材Ｂ１を示す図である。
【図８】他の止着部材Ａ１、Ｂ２、Ｂ３を示す図である。
【符号の説明】
１  制御箱
１０  表カバー体
１１  裏カバー体
１６  破断ネジ
１８ａ  ネジ孔
２０ａ、２０ｂ  係止爪
２１ａ  表カバー大孔
２１ｂ  裏カバー第１係止孔
２２ａ  表カバー係止孔
２２ｂ  裏カバー第２係止孔
Ａ、Ａ１  止着部材
Ｂ、Ｂ１、Ｂ２、Ｂ３  止着部材
Ｂ’  切断止着部材
【図１】
0003941143.tif 000002
【図２】
0003941143.tif 000003
【図３】
0003941143.tif 000004
【図４】
0003941143.tif 000005
【図５】
0003941143.tif 000006
【図６】
0003941143.tif 000007
【図７】
0003941143.tif 000008
【図８】
0003941143.tif 000009